(57)【要約】【課題】  仮設足場の組立作業効率と安全性を大幅に向上させることができ、また、環境にやさしく経済性にも優れた布板ずれ防止治具を提供する。【解決手段】  建枠２の水平材３を挟んで前後の４枚の布板５における水平材３の中央寄りに係止される４つのクランプ金具４に対応する４つの角部５ａの上面に跨るように載置する上面に開口部を有する矩形状の枠体１１と、この枠体の両側部から下方に突出し、水平材３と各布板５との間の隙間Ｓに挿入配置する４つの脚部１２と、水平材３の下側に係止可能な固定用爪部材１３とから構成される布板ずれ防止治具。【効果】  枠体１１の開口部１４に収容されたクランプ金具４はその開口部１４の内側面１４ａにより水平材２に沿う移動が規制される。【選択図】図１
2008088804.tif 000002
【特許請求の範囲】
【請求項１】
対向配置した建枠の水平材に前後４箇所の角部にクランプ金具を有する布板２枚を水平材に沿って前記建枠間に架設してなる仮設足場において、前記２枚の布板の水平材に沿うずれを防止する布板ずれ防止治具であって、
建枠の水平材を挟んで前方の２枚の布板と後方の２枚の布板の、水平材の中央寄りに係止された４つのクランプ金具に対応する角部に跨るように載置され、その上面に前記水平材の中央寄りに係止された４つのクランプ金具をすべて収容し得る矩形状の開口部が形成されている矩形状の枠体と、
この矩形状の枠体の相対する両側部のそれぞれに、所定間隔を置いて前後に２つずつ下方に突出し、前記水平材の中央寄りに係止される４つのクランプ金具の両脇に位置して水平材と前後の各布板との間の隙間に水平材を挟んで前後に２つずつ挿入配置される４つの脚部と、
前記脚部に保持部材により取付保持され、前記脚部が水平材と前後の各布板との間の隙間に挿入配置された状態で、水平材の下側に係止可能な固定用爪部材とから構成され、前記枠体の矩形状の開口部に収容された４つのクランプ金具が、その開口部の内側面により水平材に沿って移動するのを規制されるようにしてなることを特徴とする布板ずれ防止治具。
【請求項２】
前記矩形状の枠体の前後面が滑らかな斜面とされていることを特徴とする請求項１記載の布板ずれ防止治具。
【請求項３】
前後の脚部間に水平材の上側外面形状に沿う上側内面形状をもつ切欠空間が形成されていることを特徴とする請求項１または請求項２記載の布板ずれ防止治具。
【請求項４】
前後いずれか一方の脚部に対し、水平材の下側に係止する位置と水平材の下側から離脱する位置との間で円弧運動できるように２つのガイド溝を備える固定用爪部材を保持部材により取付け保持し、固定用爪部材の各ガイド溝には、固定用爪部材を水平材の下側に係止する位置に保持部材を保持する第１係止部と、固定用爪部材を水平材の下側から離脱する位置に保持部材を保持する第２係止部とをそれぞれ設けたことを特徴とする請求項１ないし請求項３のうちいずれか１項に記載の布板ずれ防止治具。
【発明の詳細な説明】
【技術分野】
【０００１】
本発明は、土木、建築現場などの建設工事の仮設足場の組立作業、または仮設足場を使用した建設工事において、仮設足場の作業床である布板のずれを防止する治具に関するものである。
【背景技術】
【０００２】
建設工事現場における仮設足場の例を図１０に示す。仮設足場１は、同図に示すように、対向する建枠２、２の水平材３に前後端のクランプ金具４を係止して、２枚の布板５、５を建枠２、２間に架設し、使用する。しかし、布板５は、風や作業者の歩行による振動、または材料の一時的な仮置きなど、様々な要因により布板本来の位置から左右にずれて、作業者の安全を脅かす開口部を形成することがしばしばである。これを防ぐため、一般的に布板５のクランプ金具４を番線や細い針金のような結束線等（以下、「鉄線」という。）を使い、建枠に縛り付け固定する方法が広く用いられている。しかしながら、この鉄線を使い固定する作業は、足場組立作業の効率を悪くし、多くの鉄線を必要とする。また、足場内通行時に鉄線の端を踏んでしまったり、衣服に引っ掛かったりなどして怪我をする可能性があるため、鉄線結束後の処置も十分に注意を払わなければならない。さらには、この鉄線は他に転用することもできず、足場解体時には膨大な量の金属ゴミを発生させる要因となってしまう。
【０００３】
このような鉄線結束によらないで布板のずれを防止するスペーサーを利用した仮設足場の提案がなされている（特許文献１参照）。
【０００４】
【特許文献１】特開２００４−１１２９０号公報
【発明の開示】
【発明が解決しようとする課題】
【０００５】
しかしながら、上記提案のスペーサーは、２枚の布板を左方あるいは右方に寄せることにより生じる露出部分にスペーサーを嵌着して布板の移動を防止するように構成されているため、仮設足場における露出部分が左方あるいは右方の他方に寄せられるとともに、その結果として他方に寄せられた露出部分の隙間幅が大きくなり、その大きな隙間から工具等が落下する危険性を伴うという問題がある。
【０００６】
本発明は上記課題に鑑みてなされたもので、仮設足場の組立作業効率と安全性を大幅に向上させることができ、また、環境にやさしく経済性にも優れた布板ずれ防止治具を提供することを目的とする。
【０００７】
また、バリアフリー効果の高い布板ずれ防止治具を提供することを目的とする。
【課題を解決するための手段】
【０００８】
上記課題を解決するために、本発明に係る請求項１の布板ずれ防止治具は、
対向配置した建枠の水平材に前後４箇所の角部にクランプ金具を有する布板２枚を水平材に沿って前記建枠間に架設してなる仮設足場において、前記２枚の布板の水平材に沿うずれを防止する布板ずれ防止治具であって、
建枠の水平材を挟んで前方の２枚の布板と後方の２枚の布板の、水平材の中央寄りに係止された４つのクランプ金具に対応する角部に跨るように載置され、その上面に前記水平材の中央寄りに係止された４つのクランプ金具をすべて収容し得る矩形状の開口部が形成されている矩形状の枠体と、
この矩形状の枠体の相対する両側部のそれぞれに、所定間隔を置いて前後に２つずつ下方に突出し、前記水平材の中央寄りに係止される４つのクランプ金具の両脇に位置して水平材と前後の各布板との間の隙間に水平材を挟んで前後に２つずつ挿入配置される４つの脚部と、
前記脚部に保持部材により取付保持され、前記脚部が水平材と前後の各布板との間の隙間に挿入配置された状態で、水平材の下側に係止可能な固定用爪部材とから構成され、前記枠体の矩形状の開口部に収容された４つのクランプ金具が、その開口部の内側面により水平材に沿って移動するのを規制されるようにしてなることを特徴とする。
【０００９】
仮設足場の建枠の水平材には、水平材を挟んで前方に２枚の布板と後方に２枚の布板の各クランプ金具が係止されている。本発明の布板ずれ防止治具は、それぞれの布板が備えるクランプ金具のうち、水平材の中央寄りに位置するクランプ金具を同時に一括して水平材に固定することにより、それぞれの布板が水平材に沿ってずれるのを防止するようにしたものである。
【００１０】
水平部材の中央寄りに係止された４つのクランプ金具に、前記上面に矩形状の開口部を持つ布板ずれ防止治具の矩形状の枠体を上から被せるようにして、前記枠体の相対する両側部のそれぞれに所定間隔を置いて前後に２つずつ下方に突出した４つの脚部を、４つのクランプ金具の両脇の水平部材と前後の各布板との間の隙間にそれぞれ挿入し、前記枠体を４つのクランプ金具に対応する各布板の角部の上面に跨るように載置する。この載置状態で、水平部材の中央寄りの４つのクランプ金具は枠体上面の矩形状の開口部にすべて収容される。この状態で、固定用爪部材を水平材の下側に係止する。枠体の上面開口部に収容された４つのクランプ金具は、同開口部内側面により水平材に沿う移動が規制される。これにより各布板の水平材に沿うずれが防止される。
【００１１】
各布板の水平材に沿うずれを防止して、水平材に沿う布板間の隙間を所定寸法内（例えば３ｃｍ以内）に規制することができる。
【００１２】
矩形状の開口部を有する枠体を上から水平材の中央寄りの４つのクランプ金具に被せるとともに、前記枠体の相対する両側部のそれぞれに、所定間隔を置いて下方に突出して１対として設けられた前脚部（図５の右手脚部）と後脚部（図５の左手脚部）が、水平材と前方の布板（図４右手布板）との間の隙間と、水平材と後方の布板（図４の左手布板）との間の隙間に、それぞれ水平材を挟んで挿入配置される。そうすると、固定用爪部材を水平材の下側に係止させるだけの極めて単純な作業で前記４つのクランプ金具を水平材に固定することができ、仮設足場の組立作業効率が大幅に向上する。仮設足場に使用する布板の数が多い程、その効果が大きい。
【００１３】
本発明に係る請求項２の布板ずれ防止治具は、枠体の前後面を滑らかな斜面とすることを特徴とする。
【００１４】
上から矩形状の枠体を４つのクランプ金具に被せるようにして枠体を４枚の布板の対向する４つの角部に跨るように載置した状態で、矩形状の枠体の上面と前後面の斜面とが布板と４つのクランプ金具の間の段差を緩和し、布板上を通行する際の障壁を緩和するバリアフリー効果を得ることができる。その結果、布板上を作業者が安心して通行することができる。
【００１５】
本発明に係る請求項３の布板ずれ防止治具は、前後の脚部間に水平材の上側外面形状に沿う上側内面形状をもつ切欠空間を形成したことを特徴とする。
【００１６】
前後の脚部を水平材と前後の布板との間の隙間に挿入配置した状態で、脚部間の切欠空間の上側内面に水平材の上側外面が広範囲に当接し、固定用爪部材を水平材の下側に安定的に係止させることができる。
【００１７】
本発明に係る請求項４の布板ずれ防止治具は、前後いずれか一方の脚部に対し、水平材の下側に係止する位置と水平材の下側から離脱する位置との間で円弧運動できるように２つのガイド溝を備える固定用爪部材を保持部材により取付け保持し、固定用爪部材の各ガイド溝には、固定用爪部材を水平材の下側に係止する位置に保持部材を保持する第１係止部と、固定用爪部材を水平材の下側から離脱する位置に保持部材を保持する第２係止部とをそれぞれ設けたことを特徴とする。
【００１８】
こうして、きわめて簡単な構造で水平材の下側に係止可能な固定用爪部材を構成することができるとともに、固定用爪部材の操作も非常に簡単なものとすることができる。
【発明の効果】
【００１９】
以上説明したように、本発明に係る布板ずれ防止治具によると、上部に矩形状の開口部を有する矩形状の枠体と、この枠体における相対する両側部のそれぞれに、所定間隔を置いて前後に２つずつ下方に突出し、水平材と前後の各布板との間に形成され、水平材を挟んで前後に分かれた隙間に、枠体側部の前後一対の脚部をそれぞれ挿入配置するように設けられた４つの脚部と、固定用爪部材からなるきわめてシンプルな構造の治具により、仮設足場の組立作業効率と安全性を大幅に向上させることができ、また、環境にやさしく経済性にも優れる効果を奏する。
【００２０】
また、矩形状の枠体の前後を斜面とし、この枠体の上面と前後の斜面で、布板とクランプ金具の間の段差を緩和することができ、バリアフリー効果の高い治具とすることができる効果を奏する。
【発明を実施するための最良の形態】
【００２１】
本発明を実施するための最良の形態を図１ないし図１０を参照して説明する。これらの図において、１０は布板ずれ防止治具、１１は平面視して矩形状の枠体、１２は脚部、１３は固定用爪部材を示し、布板ずれ防止治具１０は、これら枠体１１、脚部１２、固定用爪部材１３から構成されている。
【００２２】
矩形状の枠体１１は、図１０に示す建枠２の中間の水平材３を挟んで前方の２枚の布板５、５と後方の２枚の布板５、５の前記水平材３の中央寄りに係止される４つのクランプ金具４、４・・・に対応する４つの角部５ａ、５ａ・・・の上面に跨る大きさを有する（図４参照）。この枠体１１の上面１１ａには、前記４つのクランプ金具４、４・・・をすべて収容し得る大きさの矩形状の開口部１４が形成されている。また、枠体１１の前後面には上に行くに従い互いに接近する斜面１１ｂが形成され、斜面１１ｂの水平面からの傾斜角度θは３０度である。この斜面１１ｂの傾斜角度θはクランプ金具４の前後端の斜面の傾斜角度θ１より小さく、その結果、各布板５とクランプ金具４、４・・・との間の段差を緩和する機能を果たしている。図４および図５は４つのクランプ金具４、４・・・が開口部１４に収容された状態を示している。
【００２３】
脚部１２は、矩形状の枠体１１の相対する２つの側部から前後に所定間隔をおいて２つずつ計４つが下方に突出する（図３）。これらの脚部は、図４および図５に示すように、水平材３の中央寄りに係止される４つのクランプ金具４の両脇に位置して、水平材３と前後の各布板５、５との間に形成され水平材により２分された前後の隙間Ｓ、Ｓに、前後２つの脚部１２、１２がそれぞれ挿入配置されるようになっている。図６に示すように、前後に位置する脚部１２、１２間には円弧面１５ａを有する切欠空間１５が形成され、この円弧面１５ａは断面円環状の水平材３の上側外面形状にほぼ沿う湾曲面とされている。
【００２４】
固定用爪部材１３は、枠体１１の４つの脚部１２、１２のうち、両側の前後いずれかに１つずつ設けられている。図１では、枠体１１の両側部のうち一方側（図１の手前側）には前方（図１の左側を前方、右側を後方とする）寄りの脚部１２に対し、固定用爪部材１３が水平材２の下側に係止する位置と水平材２の下側から離脱する位置との間で円弧運動できるように２つの保持部材１６、１７により取付け保持されている。より詳しく説明すると、固定用爪部材１３には、固定用爪部材１３を上記２つの位置の間で円弧運動できるように円弧線上に沿う２つのガイド溝１８、１９が穿孔され、各ガイド溝１８、１９に前記保持部材１６、１７がそれぞれ挿通されている。
【００２５】
各ガイド溝１８、１９には、固定用爪部材１３を水平材２の下側に係止する位置に保持部材１６、１７を保持する第１係止部１８ａ、１９ａが上端限に、固定用爪部材１３を水平材３の下側から完全に離脱する位置に保持部材１６、１７を保持する第２係止部１８ｂ，１９ｂが下端限にそれぞれ設けられている。
【００２６】
同様に、枠体１１の両側部のうち他方側（図１の奥側）には後方寄りの脚部１２に対し、前述と同様の構造の固定用爪部材１３が２つの保持部材１６、１７により円弧運動可能に取付け保持されている。保持部材１６、１７としては、図１に示すようなリベットやボルト等がある。リベットの場合は、脚部１２の板厚方向に所定位置に穴あけし、リベットを差し込み、先端をつぶして締める。ボルトの場合は、同様に穴に差し込み、ナットを締める。固定用爪部材１３が脚部１２の側面を摺動できる程度に締結する。
【００２７】
上記構成の布板ずれ防止治具１０は、ＳＳ４００等の鉄板を切断、折り曲げ、溶接加工して枠体１１と脚部１２を一体製作することができる。鉄板を使用することで、十分な強度を確保することができる。また、防錆性を向上させるべく、溶融亜鉛メッキで仕上げるのがよい。固定用爪部材１３は鉄板を切断加工して容易に製作することができ、リベット等で脚部１２に容易に取り付けできる。このため、製作コストが安くてすみ、大量生産にも向き、経済性に優れる。
【００２８】
次ぎに、上記構成の布板ずれ防止治具１０の使用方法を説明する。
【００２９】
図１０の仮設足場１に示すように、中間の建枠２と前方の建枠２との間、中間の建枠２と後方の建枠２との間のそれぞれに２枚ずつの布板５が、クランプ金具４を水平材３に係止させて、架設されている。その結果、図１０に示すように、中間の建枠２の水平材３には、水平材３を挟んで前後合わせて４枚の布板５のクランプ金具４が係止され、そのうち、外寄りの４つのクランプ金具４を除く残りの４つのクランプ金具４が水平材３の中央寄りに位置する。
【００３０】
この中央寄りの４つのクランプ金具４に上から上面開口部を有する矩形状の枠体１１を被せるようにして布板ずれ防止治具１０を取り付ける。まず、布板ずれ防止治具１０の４箇所の脚部１２を、図４および図５に示すように、４つのクランプ金具４の両脇に位置して水平材３と前後各布板５の間の隙間Ｓに上から挿入して、水平材３の上側外周面に切欠空間１５の円弧面１５ａを当接させるとともに、枠体１１を前後各布板５の中央寄りの４つの角部５ａの上面に跨るようにして載置する。このとき、水平材３の中央寄りの４つのクランプ金具４はすべて枠体１１の上面の開口部１４に収容される。
【００３１】
次ぎに、図５の状態から、固定用爪部材１３に図５の反時計回りの円弧運動を与え、図６に示すように、固定用爪部材１３の先端を水平材３の下側に係止させる。このとき、上下２箇所の保持部材１６、１７はガイド溝１８、１９の上端限の第１係止部１８ａ、１９ａに位置し、固定用爪部材１３の水平材３の下側に対する係止が固定状態となる。この固定状態では、固定用爪部材１３を図６の時計周りに人為的に円弧運動させない限り、固定状態が維持され、固定状態が容易に解除される心配はない。
【００３２】
固定用爪部材１３を水平材３の下側に係止させた状態では、枠体１１の上面の開口部１４に収容された４つのクランプ金具４は、同開口部１４の内側面１４ａにより水平材３に沿う移動が規制される。これにより布板５の水平材３に沿う方向に対するずれも防止できる。
【００３３】
布板５のサイズによっては、図４に示す枠体１１の内側面１４ａとクランプ金具４との間に隙間が形成される場合がある。この場合、同隙間を閉塞するように開口部１４内に装着し、クランプ金具４の水平材３に沿う移動を確実に規制するために、図８および図９に示すインサーター２０を使用するとよい。
【００３４】
このインサーター２０は、図８に示すように、前記隙間を閉塞するべく、枠体１１の上面の開口部１４の幅方向Ｗの一方寄りに位置して、両端端面の凹溝２０ａ、２０ａを開口部１４の幅方向Ｗに沿う縁部分１４ａ、１４ａに嵌め合わせることにより、開口部１４に固定状態で装着され、これにより開口部１４の幅寸法Ｗ１を調整することができる。このインサーター２０は、その幅寸法Ｗ２の異なる数サイズを準備することで、前記開口部１４の幅寸法Ｗ１を細かく調整することが可能である。
【００３５】
なお、インサーター２０を開口部１４に装着するには、図８の一点鎖線に示すように、開口部１４の対角線に沿ってインサーター２０を開口部１４内にいったん配置し、中心線Ｇ周りに回動させて両端端面の凹溝２０ａ、２０ａを開口部１４の幅方向Ｗに沿う縁部分１４ａ、１４ａに嵌め合わせ、そのまま幅方向Ｗの一方寄りに移動させればよい。
【実施例１】
【００３６】
本発明者は、本発明に係る布板ずれ防止治具１０を試作した。試作した布板ずれ防止治具１０の大きさは、枠体１１が幅×長さ×高さ＝１１０ｍｍ×１８０ｍｍ×１４ｍｍ、枠体１１の開口部１４が幅×長さ＝７０ｍｍ×１１０ｍｍである。ここで幅は水平材３に沿う方向、長さは水平材３と直交する方向を指す。枠体１１の開口部１４を上記大きさにすることで、現在市販されている大部分の布板５のサイズに適用することができることが分かった。つまり、枠体１１の開口部１４を上記大きさにすれば、現在市販されている大部分の布板５を仮設足場１に適用した場合に、水平材３の中央に係止される４つのクランプ金具４のすべてを開口部１４に収容することができることが分かった。
【産業上の利用可能性】
【００３７】
本発明に係る布板ずれ防止治具は、土木、建築現場などの建設工事や補修工事の仮設足場の作業床である布板の水平材に沿う方向へのずれを防止する治具として利用することができる。
【図面の簡単な説明】
【００３８】
【図１】本発明の布板ずれ防止治具の斜視図、
【図２】図１に示す布板ずれ防止治具の平面図、
【図３】図１に示す布板ずれ防止治具を斜め下方から見上げた状態を示す斜視図、
【図４】図１に示す布板ずれ防止治具を仮設足場の建枠の水平材および布板に装着した状態を示す平面図、
【図５】図４のＡ−Ａ矢視断面図で、布板ずれ防止治具を水平材に固定した状態を示す断面図、
【図６】布板ずれ防止治具の水平部材に対する固定前の状態を示す断面図、
【図７】布板ずれ防止治具の水平部材に対する固定状態を示す断面図、
【図８】枠体の開口部にインサーターを装着する例を説明する平面図、
【図９】図８のＢ−Ｂ矢視断面図で、枠体の開口部にインサーターを装着した状態を示す断面図、
【図１０】本発明に係る布板ずれ防止治具を適用する仮設足場を示す斜視図である。
【符号の説明】
【００３９】
１：仮設足場
２：建枠
３：水平材
４：クランプ金具
５：布板
１０：布板ずれ防止治具
１１：枠体
１１ａ：上面
１１ｂ：傾斜面
１２：脚部
１３：固定用爪部材
１４：開口部
１４ａ：縁部分
１５：切欠空間
１５ａ：円弧面
１６、１７：保持部材
１８、１９：ガイド溝
１８ａ、１９ａ：第１係止部
１８ｂ、１９ｂ：第２係止部
２０：インサーター
２０ａ：凹溝
Ｗ ：幅方向
Ｗ１：開口部の幅寸法
Ｗ２：インサーターの幅寸法
【図１】
2008088804.tif 000003
【図２】
2008088804.tif 000004
【図３】
2008088804.tif 000005
【図４】
2008088804.tif 000006
【図５】
2008088804.tif 000007
【図６】
2008088804.tif 000008
【図７】
2008088804.tif 000009
【図８】
2008088804.tif 000010
【図９】
2008088804.tif 000011
【図１０】
2008088804.tif 000012